(57)【特許請求の範囲】
【請求項１】
コルゲートチューブを支持する支持部材と、
前記支持部材とともに前記コルゲートチューブを囲んで固定する固定部材と、
前記支持部材もしくは前記固定部材のいずれか一方に設けられた係止部と、
同他方に設けられ、前記コルゲートチューブの外径に応じた複数の係止位置にて前記係止部と係止することにより前記固定部材と前記支持部材とを組み付け状態に保持する被係止部と、
前記支持部材における前記コルゲートチューブの左右両側で上方に立ち上がるとともに開き方向に変位可能に設けられ、前記固定部材による固定に先立って前記コルゲートチューブを固定する一対の仮固定リブとを備えた保持部材であって、
前記固定部材には、前記支持部材に組み付けられたときに前記仮固定リブと干渉することを回避する逃がし孔が貫通して設けられ、この逃がし孔に前記仮固定リブの先端が収容可能とされており、
前記固定部材と前記支持部材とを組み付けた状態では、前記支持部材と前記固定部材とが前記コルゲートチューブの外周溝部に上下両側から嵌り込み、前記コルゲートチューブが前記一対の仮固定リブによって左右両側から挟まれて固定されることを特徴とする保持部材。
【請求項２】
前記係止部は、前記複数の係止位置に応じて複数設けられ、前記被係止部は、前記各係止位置にていずれかの前記係止部と係止する請求項１に記載の保持部材。
【請求項３】
請求項１または請求項２に記載された保持部材と、
分岐口を有する本体部とを備えた分岐プロテクタであって、
前記保持部材は、前記本体部において前記分岐口を挟む両側に配置されていることを特徴とする分岐プロテクタ。
【請求項４】
前記固定部材は、ヒンジ部を介して前記支持部材に連結されており、前記本体部と前記固定部材との間は、スリットによって分離されている請求項３に記載の分岐プロテクタ。
【発明の詳細な説明】
【技術分野】
【０００１】
本発明は、保持部材および分岐プロテクタに関する。
【背景技術】
【０００２】
従来、一つの保持部材で大きさの異なる複数のコルゲートチューブを固定できるようにしたものとして、例えば下記特許文献１に記載の保持部材が知られている。この保持部材は、コルゲートチューブを支持する支持部と、支持部とともにコルゲートチューブを囲んで固定する固定部とを備えている。支持部に対する固定部の係止位置は、コルゲートチューブの外径に応じて複数設定されている。
【０００３】
このような保持部材によってコルゲートチューブを固定する手順について説明すると、まず、コルゲートチューブを支持部に載せ、次に、コルゲートチューブが支持部から外れないように手で押さえながら固定部を支持部に組み付ける必要がある。ここで、コルゲートチューブを手で押さえる作業をなくそうとした場合、固定部による固定に先立ってコルゲートチューブを固定する仮固定部を支持部に設ける方法が考えられる。
【特許文献１】特開２００６−１３８４４５公報
【発明の開示】
【発明が解決しようとする課題】
【０００４】
しかしながら、仮固定部の大きさによっては、固定部を支持部に組み付ける際に固定部が仮固定部と干渉しやすくなる。何故ならば、大きさの異なる複数のコルゲートチューブに対応可能とするためには、最も大きなコルゲートチューブに合わせて大きな仮固定部を設ける必要がある。ところが、最も小さなコルゲートチューブを固定する際には、固定部をさらに支持部側に近づけて挟み付ける必要があるから、固定部が仮固定部と干渉することになる。
【０００５】
本発明は上記のような事情に基づいて完成されたものであって、大きさの異なる複数のコルゲートチューブを固定できる保持部材においてその固定作業を容易にすることを目的とする。
【課題を解決するための手段】
【０００６】
本発明は、コルゲートチューブを支持する支持部材と、支持部材とともにコルゲートチューブを囲んで固定する固定部材と、支持部材もしくは固定部材のいずれか一方に設けられた係止部と、同他方に設けられ、コルゲートチューブの外径に応じた複数の係止位置にて係止部と係止することにより固定部材と支持部材とを組み付け状態に保持する被係止部と、支持部材におけるコルゲートチューブの左右両側で上方に立ち上がるとともに開き方向に変位可能に設けられ、固定部材による固定に先立ってコルゲートチューブを固定する一対の仮固定リブとを備えた保持部材であって、固定部材には、支持部材に組み付けられたときに仮固定リブと干渉することを回避する逃がし孔が貫通して設けられ、この逃がし孔に仮固定リブの先端が収容可能とされており、固定部材と支持部材とを組み付けた状態では、支持部材と固定部材とがコルゲートチューブの外周溝部に上下両側から嵌り込み、コルゲートチューブが一対の仮固定リブによって左右両側から挟まれて固定される構成としたところに特徴を有する。
【０００７】
このような構成によると、まず、コルゲートチューブを両仮固定リブで支持部材に固定しておく。次に、固定部材を支持部材に組み付けて係止部と被係止部を係止させることにより固定部材と支持部材とが組み付け状態に保持される。ここで、係止部と被係止部は、コルゲートチューブの外径に応じた複数の係止位置にて係止可能であるため、大きさの異なる複数のコルゲートチューブを固定することができる。さらに、固定部材に逃がし孔を設けたから、仮固定リブが固定部材に干渉することを回避可能である。したがって、コルゲートチューブの固定作業を容易にすることができる。
【０００８】
また、両仮固定リブによってコルゲートチューブを両側から挟んで固定することができる。また、仮固定リブの先端を逃がし孔で収容することができるから、固定部材と仮固定リブの干渉を回避することができる。
【０００９】
係止部は、複数の係止位置に応じて複数設けられ、被係止部は、各係止位置にていずれかの係止部と係止する構成としてもよい。
このような構成によると、コルゲートチューブの大きさに合った係止位置にて係止部を被係止部に係止させることができる。
【００１０】
また、本発明は、上記の保持部材と、分岐口を有する本体部とを備えた分岐プロテクタであって、保持部材は、本体部において分岐口を挟む両側に配置されている構成としてもよい。
このような構成によると、コルゲートチューブに収容された電線の一部を分岐口から分岐させることができる。
【００１１】
固定部材は、ヒンジ部を介して支持部材に連結されており、本体部と固定部材との間は、スリットによって分離されている構成としてもよい。
このような構成によると、固定部材による固定作業を別々に行うことができるから、１つの分岐プロテクタの中に大きさの異なる２つのコルゲートチューブを固定することができる。
【発明の効果】
【００１２】
本発明によれば、大きさの異なる複数のコルゲートチューブを固定できる保持部材においてその固定作業を容易にすることができる。
【発明を実施するための最良の形態】
【００１３】
＜実施形態＞
本発明の実施形態を図１ないし図１２の図面を参照しながら説明する。本実施形態の分岐プロテクタ１０は、図示しない電線の束の分岐部分に取り付けられるものであって、電線の幹線を覆って保護するコルゲートチューブと、電線の支線を覆って保護する支線用保護部材（図示せず）とを保持可能とされている。このコルゲートチューブは、図３もしくは図７に示すように、蛇腹状の円筒形状をなし、電線の束を一括して包囲するものである。
【００１４】
本実施形態ではコルゲートチューブの種類として、図３に示す大径のコルゲートチューブ（以下「大チューブ」という。）８０Ａと図７に示す小径のコルゲートチューブ（以下「小チューブ」という。）８０Ｂを例示している。分岐プロテクタ１０は、大チューブ８０Ａと小チューブ８０Ｂのいずれも固定できるようになっている。なお、以下においては、重複する場合には大チューブ８０Ａを固定する場合を代表として、分岐プロテクタ１０の構造説明を行う。
【００１５】
分岐プロテクタ１０は合成樹脂製で、図３に示すように、大チューブ８０Ａを固定可能な一対のチューブ固定部（本発明の「保持部材」の一例）１１と、支線用保護部材を装着可能な分岐口１３を有する本体部１２とを備えている。両チューブ固定部１１は、本体部１２の両側に配置されている。また、両チューブ固定部１１によって固定された両大チューブ８０Ａは、同軸で配置されている。なお、分岐口１３の軸方向は、両大チューブ８０Ａの軸方向とほぼ直交する配置とされている。
【００１６】
本体部１２は、可撓部１２Ａを介して開閉可能に連結された上下一対の半割部材１２Ｂを備えている。上側の半割部材１２Ｂにおいて可撓部１２Ａと反対側の端部には、図２に示すように、一対の差込片１４が所定間隔を空けて配置されている。一方、下側の半割部材１２Ｂにおいて可撓部１２Ａと反対側の端部には、一対の差込孔１５が所定間隔を空けて配置されている。両差込片１４は、両差込孔１５に嵌合可能とされている。両差込片１４は、詳細の構造は省略するものの、両差込孔１５の内部において抜止状態に保持されるように構成されている。両差込片１４および両差込孔１５は、図３に示すように、両半割部材１２Ｂを組み付けた状態では、分岐口１３の両側に配置されている。
【００１７】
両半割部材１２Ｂの内部には、図２に示すように、大チューブ８０Ａをチューブ固定部１１に装着する際の位置決めリブ１６が設けられている。位置決めリブ１６は、本体部１２の両側開口からやや内側に配置されている。大チューブ８０Ａの端部は、図２に示すように、本体部１２の両側開口から入り込んだ位置であって位置決めリブ１６を超えない位置に装着される。
【００１８】
チューブ固定部１１は、ヒンジ部１１Ａを介して開閉可能に連結された支持部（本発明の「支持部材」の一例）１１Ｂと固定部（本発明の「固定部材」の一例）１１Ｃなどを備えている。図３において支持部１１Ｂはチューブ固定部１１の下側部分を構成し、固定部１１Ｃはチューブ固定部１１の上側半分を構成している。なお、両ヒンジ部１１Ａは、可撓部１２Ａの両側に配置され、両ヒンジ部１１Ａおよび可撓部１２Ａは、ほぼ同軸で配置されている。
【００１９】
チューブ固定部１１の内部には、図１に示すように、大チューブ８０Ａの外周溝部に嵌り込む複数の環状リブ１７が形成されている。環状リブ１７は、支持部１１Ｂと固定部１１Ｃの双方に設けられ、大チューブ８０Ａの軸方向に複数設けられている。これらの環状リブ１７は、固定部１１Ｃを支持部１１Ｂに組み付けることにより大チューブ８０Ａの外周溝部に上下両側から嵌り込み、大チューブ８０Ａが軸方向に移動することを規制可能である。
【００２０】
支持部１１Ｂの内側には、図２に示すように、大チューブ８０Ａの両側で上方に立ち上がる一対の仮固定リブ１８が設けられている。各仮固定リブ１８は、開き方向に変位可能に設けられている。仮固定リブ１８は、大チューブ８０Ａの外周面にほぼ沿う弧状をなしている。仮固定リブ１８の上端同士の間隔は、両仮固定リブ１８間に大チューブ８０Ａが装着された状態において大チューブ８０Ａの外径よりも小さくなっている。
【００２１】
このような仮固定リブ１８によると、大チューブ８０Ａを両仮固定リブ１８間に装着することにより、大チューブ８０Ａを支持部１１Ｂに固定することができる。なお、仮固定リブ１８は、図１１に示すように、自然状態において小チューブ８０Ｂの外周面に沿う形状とされているため、大チューブ８０Ａが装着された状態ではやや両側に開いた姿勢で保持される。
【００２２】
支持部１１Ｂにおいてヒンジ部１１Ａと反対側の端部には、図１に示すように、上方に立ち上がる被係止部１９が設けられている。被係止部１９の上端部には、内側に突出するロック突部１９Ａが設けられている。被係止部１９は、図１２に示すように、その両側を上下方向に切り欠くことで内外方向に撓み可能とされている。また、被係止部１９は、図１０に示すように、仮固定リブ１８と所定の間隔を空けて配置され、被係止部１９と仮固定リブ１８との間には、進入空間Ｓが形成されている。
【００２３】
固定部１１Ｃにおいてヒンジ部１１Ａと反対側の端部には、図１に示すように、上方に立ち上がる係止部２０が設けられている。係止部２０は、ヒンジ部１１Ａを回動中心として固定部１１Ｃを支持部１１Ｂ側に回動させると、進入空間Ｓに嵌合可能とされている。係止部２０の外面には、ロック突部１９Ａと係止可能な一対の係止突部が上下に所定の間隔を空けて配置されている。両係止突部のうち係止部２０の先端側の係止突部は、大チューブ８０Ａを固定する際に用いられる一次係止突部２０Ａとされている。また、両係止突部のうち基端側の係止突部は、小チューブ８０Ｂを固定する際に用いられる二次係止突部２０Ｂとされている。
【００２４】
固定部１１Ｃと本体部１２との間は、図１０に示すように、スリット２２によって分離されている。このため、両固定部１１Ｃは、それぞれ独立して開閉操作が可能である。したがって、一方のチューブ固定部１１には、大チューブ８０Ａを固定し、他方のチューブ固定部１１には、小チューブ８０Ｂを固定することもできる。
【００２５】
このような係止部２０によると、図２に示すように、両固定リブ１８間に大チューブ８０Ａを装着することにより、大チューブ８０Ａの端部を支持部１１Ｂで支持する。そして、固定部１１Ｃを支持部１１Ｂに組み付けることにより、係止部２０を進入空間Ｓに進入させるとともに、一次係止突部２０Ａをロック突部１９Ａに係止させる。これにより、大チューブ８０Ａは、図３に示すように、支持部１１Ｂと固定部１１Ｃとによって囲まれて固定されるとともに、環状リブ１７が上下両側から大チューブ８０Ａの外周溝部に嵌り込む。この状態では、大チューブ８０Ａは、チューブ固定部１１から外れることが規制されている。なお、固定部１１Ｃを支持部１１Ｂに組み付ける際に両仮固定リブ１８で大チューブ８０Ａを固定することができるから、大チューブ８０Ａを支持部１１Ｂに手で押さえておく必要がなく、大チューブ８０Ａの固定作業が容易になる。
【００２６】
また、小チューブ８０Ｂを固定する際には、図６に示すように、大チューブ８０Ａを固定する場合と同様に、両固定リブ１８間に小チューブ８０Ｂを装着することにより、小チューブ８０Ｂの端部を支持部１１Ｂで支持する。そして、固定部１１Ｃを支持部１１Ｂに組み付けることにより、係止部２０を進入空間Ｓに進入させる。この進入の途中では、一旦、一次係止突部２０Ａがロック突部１９Ａに係止するものの、固定部１１Ｃをさらに押し込んで係止部２０を進入空間Ｓの奥方に進入させることにより二次係止突部２０Ｂをロック突部１９Ａに係止させる。これにより、小チューブ８０Ｂは、図７に示すように、支持部１１Ｂと固定部１１Ｃとによって囲まれて固定されるとともに、環状リブ１７が上下両側から小チューブ８０Ｂの外周溝部に嵌り込む。この状態では、小チューブ８０Ｂは、チューブ固定部１１から外れることが規制されている。
【００２７】
なお、二次係止突部２０Ｂがロック突部１９Ａと係止した状態では、進入空間Ｓの内部において係止部２０の先端がやや内側を向いて傾いた姿勢で配置されるため、大チューブ８０Ａを固定する場合よりも広い進入空間Ｓが必要とされる。その点、小チューブ８０Ｂを仮固定リブ１８で固定する場合には、仮固定リブ１８が自然状態になっており、開いた姿勢となっていないため、被係止部１９と仮固定リブ１８との間には、より広い進入空間Ｓが形成される。このため、傾いた姿勢にある係止部２０であっても進入空間Ｓの内部に収容することができる。
【００２８】
上記の構成によると、仮固定リブ１８を設けたことにより、大チューブ８０Ａおよび小チューブ８０Ｂを固定する作業がともに容易になっている。このため、仮固定リブ１８の上下寸法については、大チューブ８０Ａを固定できるように、少なくとも大チューブ８０Ａの半径よりも大きめに設定されている。しかしこれでは、小チューブ８０Ｂを固定する際に、固定部１１Ｃが仮固定リブ１８の先端と上下方向に干渉しやすくなる。また、両仮固定リブ１８の幅方向に間隔は、小チューブ８０Ｂを固定できるように、小チューブ８０Ｂの直径とほぼ同じに設定されており、大チューブ８０Ａを固定したときには、両仮固定リブ１８が開いてしまう。このため、固定部１１Ｃは、仮固定リブ１８と幅方向に干渉しやすくなる。
【００２９】
そこで、本実施形態では、固定部１１Ｃに仮固定リブ１８との干渉を回避する逃がし孔（本発明の「逃がし部」の一例）２１が貫通して設けられている。逃がし孔２１は、図４または図５に示すように、幅方向に所定の間隔を空けて一対設けられている。一次係止位置（一次係止突部２０Ａがロック突部１９Ａに係止したときの係止部２０および被係止部１９の位置）では、両逃がし孔２１のうち右側（ヒンジ部１１Ａ側）の逃がし孔２１に仮固定リブ１８の先端が収容されるようになっている。また、二次係止位置（二次係止突部２０Ｂがロック突部１９Ａに係止したときの係止部２０および被係止部１９の位置）では、図８または図９に示すように、両逃がし孔２１に両仮固定リブ１８の先端がそれぞれ収容されるようになっている。これにより、チューブ固定部１１に大チューブ８０Ａまたは小チューブ８０Ｂのいずれを固定する場合であっても、固定部１１Ｃを両仮固定リブ１８の先端に干渉させることなく支持部１１Ｂに組み付けることができる。
【００３０】
以上のように本実施形態では、係止部２０と被係止部１９が一次係止位置または二次係止位置にて係止可能であるため、大チューブ８０Ａと小チューブ８０Ｂのいずれも固定することができる。また、固定部１１Ｃに逃がし孔２１を設けたから、仮固定リブ１８の先端を逃がし孔２１に収容することで仮固定リブ１８を固定部１１Ｃに干渉させることなく、固定部１１Ｃを支持部１１Ｂに組み付け可能である。さらに、仮固定リブ１８を設けたことで、大チューブ８０Ａや小チューブ８０Ｂを支持部１１Ｂに手で押さえておく作業が不要となり、大チューブ８０Ａや小チューブ８０Ｂの固定作業を容易にすることができる。また、固定部１１Ｃと本体部１２との間にスリット２２を設けたから、大チューブ８０Ａと小チューブ８０Ｂを各チューブ固定部１１に同時に固定することができる。
【００３１】
＜他の実施形態＞
本発明は上記記述及び図面によって説明した実施形態に限定されるものではなく、例えば次のような実施形態も本発明の技術的範囲に含まれる。
（１）本実施形態では支持部１１Ｂに被係止部１９を設け、固定部１１Ｃに係止部２０を設けているものの、本発明によると、支持部１１Ｂに係止部を設け、固定部１１Ｃに被係止部を設けてもよい。
【００３２】
（２）本実施形態では支持部１１Ｂと固定部１１Ｃがヒンジ部１１Ａで連結されて一体に構成されているものの、本発明によると、支持部１１Ｂと固定部１１Ｃとを別体で構成し、後で組み付けてもよい。
【００３４】
（４）本実施形態では被係止部１９を１つだけ設けているものの、本発明によると、被係止部１９を複数設けてもよい。
【００３５】
（５）本実施形態では保持部材を分岐プロテクタ１０に適用しているものの、本発明によると、保持部材をクランプ（コルゲートチューブを保持し、電線の一部を分岐させる機能を有しない部材）などに適用してもよい。
【００３６】
（６）本実施形態では固定部１１Ｃがスリット２２によって本体部１２と分離されているものの、本発明によると、固定部１１Ｃと本体部１２を一体に設けてもよい。
【図面の簡単な説明】
【００３７】
【図１】分岐プロテクタ単体の斜視図
【図２】分岐プロテクタの両仮固定リブ間に大チューブを装着した状態を示した斜視図
【図３】分岐プロテクタに大チューブが固定された状態を示した斜視図
【図４】図３の平面図
【図５】図４のＡ−Ａ線断面図
【図６】分岐プロテクタの両仮固定リブ間に小チューブを装着した状態を示した斜視図
【図７】分岐プロテクタに小チューブが固定された状態を示した斜視図
【図８】図７の平面図
【図９】図８のＢ−Ｂ線断面図
【図１０】分岐プロテクタ単体の平面図
【図１１】分岐プロテクタ単体の側面図
【図１２】分岐プロテクタ単体の正面図
【符号の説明】
【００３８】
１０…分岐プロテクタ
１１…チューブ固定部（保持部材）
１１Ａ…ヒンジ部
１１Ｂ…支持部（支持部材）
１１Ｃ…固定部（固定部材）
１２…本体部
１３…分岐口
１８…仮固定リブ
１９…被係止部
２０…係止部
２１…逃がし孔
２２…スリット
８０Ａ…大チューブ（大径のコルゲートチューブ）
８０Ｂ…小チューブ（小径のコルゲートチューブ）
【図１】
0005200289.tif 000002
【図２】
0005200289.tif 000003
【図３】
0005200289.tif 000004
【図４】
0005200289.tif 000005
【図５】
0005200289.tif 000006
【図６】
0005200289.tif 000007
【図７】
0005200289.tif 000008
【図８】
0005200289.tif 000009
【図９】
0005200289.tif 000010
【図１０】
0005200289.tif 000011
【図１１】
0005200289.tif 000012
【図１２】
0005200289.tif 000013